(57)【特許請求の範囲】
【請求項１】
洗面ボールの水栓取付板部に固定されるとともに、少なくとも前記水栓取付板部に形成される挿通穴に挿通可能で、洗面ボールの排出口を閉塞可能に上下移動する閉塞部材を操作する引上げ棒に連動連結されるポップアップ棒を有するポップアップ機構を備たシングルレバー式の混合栓において、
弁機構が乗載される上面を有し、前記弁機構に形成される水導入流路に連通する給水流路、前記弁機構に形成される湯導入流路に連通する給湯流路、前記弁機構に形成される湯水混合水導出流路に連通する湯水混合水排出流路を内蔵し、この湯水混合水排出流路の出口が形成される周面を有する一方、この周面および底面間を貫通するよう胴部における上下方向から所定角度だけ傾斜した状態で形成されているポップアップ棒貫通穴を有する円柱形状の金属製胴部と、この胴部の外径とほぼ同一の外径を有し、前記弁機構の下部を覆うほぼ円筒形状のカバー体と、このカバー体の上方に突出する前記弁機構の上部に係止され、上下・左右方向に回動操作されるレバー体と、前記胴部および前記水栓取付板部間に介装され、前記給水流路の入口を給水管に連通させる流路と、前記給湯流路の入口を給湯管に連通させる流路とを有するとともに、前記ポップアップ棒貫通穴に挿通される前記ポップアップ棒が挿通可能な挿通穴を有する連通機構とを備え、更に、この連通機構を覆う半円筒形状の天板を前記胴部直下に設ける一方、
前記ポップアップ棒は、
胴部の前記ポップアップ棒貫通穴に挿入配置される直線状の棒部分と、
前記上下方向に沿うよう前記棒部分から下方に前記所定角度だけ折れ曲がり連通機構の前記挿通穴および水栓取付板部の前記挿通穴を貫通して前記引上げ棒に至る直線状の棒部分とで構成されるとともに、
連通機構の前記挿通穴および水栓取付板部の前記挿通穴は、前記引上げ棒の操作時にポップアップ棒の折れ曲がり部分の動きを許容しうる大きさに形成されているとともに、前記連通機構の前記挿通穴は長穴に形成されていることを特徴とするポップアップ機構を備えたシングルレバー式の混合栓。
【請求項２】
洗面ボールの水栓取付板部に固定されるとともに、少なくとも前記水栓取付板部に形成される挿通穴に挿通可能で、洗面ボールの排出口を閉塞可能に上下移動する閉塞部材を操作する引上げ棒に連動連結されるポップアップ棒を有するポップアップ機構を備え、
弁機構が乗載される上面を有し、前記弁機構に形成される水導入流路に連通する給水流路、前記弁機構に形成される湯導入流路に連通する給湯流路、前記弁機構に形成される湯水混合水導出流路に連通する湯水混合水排出流路を内蔵し、この湯水混合水排出流路の出口が形成される周面を有する一方、この周面および底面間を貫通するよう胴部における上下方向から所定角度だけ傾斜した状態で形成されているポップアップ棒貫通穴を有する円柱形状の金属製胴部と、この胴部の外径とほぼ同一の外径を有し、前記弁機構の下部を覆うほぼ円筒形状のカバー体と、このカバー体の上方に突出する前記弁機構の上部に係止され、上下・左右方向に回動操作されるレバー体と、前記胴部および前記水栓取付板部間に介装され、前記給水流路の入口を給水管に連通させる流路と、前記給湯流路の入口を給湯管に連通させる流路とを有するとともに、前記ポップアップ棒貫通穴に挿通される前記ポップアップ棒が挿通可能な挿通穴を有する連通機構とを備え、更に、この連通機構を覆う半円筒形状の天板を前記胴部直下に設ける一方、
前記ポップアップ棒は、
胴部の前記ポップアップ棒貫通穴に挿入配置される直線状の棒部分と、
前記上下方向に沿うよう前記棒部分から下方に前記所定角度だけ折れ曲がり連通機構の前記挿通穴および水栓取付板部の前記挿通穴を貫通して前記引上げ棒に至る直線状の棒部分とで構成されるとともに、
連通機構の前記挿通穴および水栓取付板部の前記挿通穴は、前記引上げ棒の操作時にポップアップ棒の折れ曲がり部分の動きを許容しうる大きさに形成されているシングルレバー式の混合栓において、
前記レバー体は、前記弁機構の上部を覆うよう有底円筒形状の被覆部分を有し、この被覆部分は前記胴部の外径とほぼ同一の外径を有する一方、前記湯水混合水排出流路の出口に前記胴部の周面から突出した状態で吐水管が取り付けられ、この吐水管は、円筒形状をなし、
さらに、前記ポップアップ棒貫通穴は、前記ポップアップ棒貫通穴に挿入配置される前記直線状の棒部分の外径とほぼ同一の小径部と、これより大きな径を持つ大径部を胴部の周面側からこの順で備えており、前記大径部には、オーリングが嵌込まれ、このオーリングを保持するオーリング受けがネジ止めされていることを特徴とするポップアップ機構を備えたシングルレバー式の混合栓。
【発明の詳細な説明】
【０００１】
【発明の属する技術分野】
この発明は、ポップアップ機構を備えたシングルレバー式の混合栓に関する。
【０００２】
【従来の技術および発明が解決しようとする課題】
図８に示すように、例えば洗面ボールの水栓取付板部１０１に開設された例えば二つの貫通孔１０２，１０３に、胴部１０４に直接接続された二つの取付足１０５，１０６が挿通され、取付足１０５，１０６と、座金およびナットよりなる締付手段１０７，１０７とによって水栓取付板部１０１に固定される一方、胴部１０４にポップアップ棒挿通穴１０８が設けられ、この挿通穴１０８がオーリングおよびオーリング受け用ビスよりなるシール部材１０９でシールされ、水栓取付板部１０１の取付足１０５，１０６で挟まれる位置にポップアップ棒１０７が垂直に挿通可能な挿通穴１０８を有するポップアップ機構を備えたシングルレバー式の混合栓１０９があるけれども、前記胴部１０４が例えば青銅鋳物からなるので、胴部１０４の中央周面Ｂから胴部１０４の吐水部１１０に至る折れ曲がり形状〔図８（Ｂ）参照〕や、周面Ｂから胴部１０４の台座部１１１に至る折れ曲がり形状〔図８（Ａ）参照〕、あるいは、台座部１１１のエッジ面Ｅ，Ｅ’の折れ曲がり形状〔図８（Ａ）参照〕等が湾曲形状となり、デサイン的にシャープな外観形状を持つ混合栓ではなかった。
【０００３】
本発明は上述の事柄に留意してなされたもので、その目的は、円柱をモチーフにしたシャープな外観形状を持つポップアップ機構を備えたシングルレバー式の混合栓を提供することである。
【０００４】
【課題を解決するための手段】
上記目的を達成するために、この発明は、洗面ボールの水栓取付板部に固定されるとともに、少なくとも前記水栓取付板部に形成される挿通穴に挿通可能で、洗面ボールの排出口を閉塞可能に上下移動する閉塞部材を操作する引上げ棒に連動連結されるポップアップ棒を有するポップアップ機構を備たシングルレバー式の混合栓において、
弁機構が乗載される上面を有し、前記弁機構に形成される水導入流路に連通する給水流路、前記弁機構に形成される湯導入流路に連通する給湯流路、前記弁機構に形成される湯水混合水導出流路に連通する湯水混合水排出流路を内蔵し、この湯水混合水排出流路の出口が形成される周面を有する一方、この周面および底面間を貫通するよう胴部における上下方向から所定角度だけ傾斜した状態で形成されているポップアップ棒貫通穴を有する円柱形状の金属製胴部と、この胴部の外径とほぼ同一の外径を有し、前記弁機構の下部を覆うほぼ円筒形状のカバー体と、このカバー体の上方に突出する前記弁機構の上部に係止され、上下・左右方向に回動操作されるレバー体と、前記胴部および前記水栓取付板部間に介装され、前記給水流路の入口を給水管に連通させる流路と、前記給湯流路の入口を給湯管に連通させる流路とを有するとともに、前記ポップアップ棒貫通穴に挿通される前記ポップアップ棒が挿通可能な挿通穴を有する連通機構とを備え、更に、この連通機構を覆う半円筒形状の天板を前記胴部直下に設ける一方、
前記ポップアップ棒は、
胴部の前記ポップアップ棒貫通穴に挿入配置される直線状の棒部分と、
前記上下方向に沿うよう前記棒部分から下方に前記所定角度だけ折れ曲がり連通機構の前記挿通穴および水栓取付板部の前記挿通穴を貫通して前記引上げ棒に至る直線状の棒部分とで構成されるとともに、
連通機構の前記挿通穴および水栓取付板部の前記挿通穴は、前記引上げ棒の操作時にポップアップ棒の折れ曲がり部分の動きを許容しうる大きさに形成されているとともに、前記連通機構の前記挿通穴は長穴に形成されていることを特徴としている（請求項１）。
また、この発明は別の観点から、
洗面ボールの水栓取付板部に固定されるとともに、少なくとも前記水栓取付板部に形成される挿通穴に挿通可能で、洗面ボールの排出口を閉塞可能に上下移動する閉塞部材を操作する引上げ棒に連動連結されるポップアップ棒を有するポップアップ機構を備え、
弁機構が乗載される上面を有し、前記弁機構に形成される水導入流路に連通する給水流路、前記弁機構に形成される湯導入流路に連通する給湯流路、前記弁機構に形成される湯水混合水導出流路に連通する湯水混合水排出流路を内蔵し、この湯水混合水排出流路の出口が形成される周面を有する一方、この周面および底面間を貫通するよう胴部における上下方向から所定角度だけ傾斜した状態で形成されているポップアップ棒貫通穴を有する円柱形状の金属製胴部と、この胴部の外径とほぼ同一の外径を有し、前記弁機構の下部を覆うほぼ円筒形状のカバー体と、このカバー体の上方に突出する前記弁機構の上部に係止され、上下・左右方向に回動操作されるレバー体と、前記胴部および前記水栓取付板部間に介装され、前記給水流路の入口を給水管に連通させる流路と、前記給湯流路の入口を給湯管に連通させる流路とを有するとともに、前記ポップアップ棒貫通穴に挿通される前記ポップアップ棒が挿通可能な挿通穴を有する連通機構とを備え、更に、この連通機構を覆う半円筒形状の天板を前記胴部直下に設ける一方、
前記ポップアップ棒は、
胴部の前記ポップアップ棒貫通穴に挿入配置される直線状の棒部分と、
前記上下方向に沿うよう前記棒部分から下方に前記所定角度だけ折れ曲がり連通機構の前記挿通穴および水栓取付板部の前記挿通穴を貫通して前記引上げ棒に至る直線状の棒部分とで構成されるとともに、
連通機構の前記挿通穴および水栓取付板部の前記挿通穴は、前記引上げ棒の操作時にポップアップ棒の折れ曲がり部分の動きを許容しうる大きさに形成されているシングルレバー式の混合栓において、
前記レバー体は、前記弁機構の上部を覆うよう有底円筒形状の被覆部分を有し、この被覆部分は前記胴部の外径とほぼ同一の外径を有する一方、前記湯水混合水排出流路の出口に前記胴部の周面から突出した状態で吐水管が取り付けられ、この吐水管は、円筒形状をなし、
さらに、前記ポップアップ棒貫通穴は、前記ポップアップ棒貫通穴に挿入配置される前記直線状の棒部分の外径とほぼ同一の小径部と、これより大きな径を持つ大径部を胴部の周面側からこの順で備えており、前記大径部には、オーリングが嵌込まれ、このオーリングを保持するオーリング受けがネジ止めされていることを特徴とするポップアップ機構を備えたシングルレバー式の混合栓を提供する（請求項２）。
【０００５】
【発明の実施の形態】
以下、この発明の実施の形態について説明する。
図１〜図６は、ポップアップ棒貫通穴を有する円柱形状の金属製胴部と、弁機構の下部を覆うほぼ円筒形状のカバー体と、弁機構の上部を覆う有底円筒形状の被覆部分を有するレバー体とを設け、更に、胴部および水栓取付板部間に介装される連通機構を覆う半円筒形状の天板を胴部直下に設け、胴部の周面から突出した吐水管を有底円筒形状に構成して円柱をモチーフにしたシャープな外観形状を呈するように構成したこの発明の一実施形態を示す。
【０００６】
図１〜図６において、１は、ポップアップ機構を備えたシングルレバー式の混合栓で、洗面ボールの水栓取付板部３に開設された二つの貫通孔４および５にそれぞれ取付足４ａおよび５ａが挿通され、取付足４ａおよび５ａに挿通された菊座金６およびナット７を用いて水栓取付板部３に固定されている。この実施形態では洗面ボール８に混合栓１を設置した場合を示している。前記取付足４ａおよび５ａは、それぞれ同一のもので、外周に雄ねじｍが形成されている。前記取付足４ａおよび５ａは、後述する胴部２０に直接接続されておらず、胴部とは別の部材よりなる後述する連通機構４２の一つを構成する台座４３に接続されている。８は、水栓取付板部３の下面３ａおよび菊座金６間に設けた座パッキンである。
【０００７】
１０は、弁機構の下部を構成する弁本体で、ほぼ筒形状の下ユニットケース１１に、下ディスク１２と、この上に設けられるセラミック製の固定ディスク１３と、固定ディスク１３に摺動自在に重合配置されるセラミック製の可動ディスク１４と、この上にあって可動ディスク１４を保持する合成樹脂製のサポート部材１５とが内蔵されている（特願平７−２７５１５号、明細書、図面参照）。
【０００８】
そして、弁本体１０には、水導入流路および湯導入流路（図示せず）が形成されるとともに、これら導入流路の下流に湯水混合水導出流路（図示せず）が形成されている。
【０００９】
１６は、弁機構の上部を構成する栓棒操作部で、ほぼ筒形状の上ユニットケース１７に、回転軸１８ａのまわりに回動する栓棒１８と  回転軸１８ａを支持する支持部材１９とが内蔵されている。そして、弁本体１０と栓棒操作部１６とで前記弁機構が構成されている。
【００１０】
２０は、円柱形状の胴部で、例えば合金等の金属製である。この胴部２０は、所定長さの直径Ｄを持った円柱形状の長い金属製棒材を予め用意しておき、この金属製棒材を所定長さの高さＨに切断することによって得られる。胴部２０は、給水流路ｉ、給湯流路ｒおよび湯水混合水排出流路ｎを内蔵している。また、胴部２０は、表面がバフ処理されたのちメッキされてなる周面ｈを有する。
【００１１】
前記胴部２０は、上面ｑに前記弁機構１０，１６が乗載され、底面ｊには給水流路ｉの入口２０ａおよび給湯流路ｒの入口２０ｂが面一に形成されている〔図４（Ｂ）参照〕。
【００１２】
前記給水流路ｉは、前記取付足５ａに接続されるフレキシブル管等の給水管２００（図１参照）と弁本体１０の前記水導入流路とを接続する。なお、給水管２００と取付足５ａの接続は、取付足５ａの上流端に螺合している袋ナット１２０を取り外し、継手２０１を用いて行われる。
【００１３】
一方、前記給湯流路ｒは、前記取付足４ａに接続されるフレキシブル管等の給湯管（図示せず）と弁本体１０の前記湯導入流路とを接続する。なお、給湯管と取付足４ａの接続も、取付足４ａの上流端に螺合している袋ナット１２０’を取り外し、適宜の継手を用いて行われる。
【００１４】
そして、前記給水流路ｉを形成する給水穴２１が胴部２０の上下方向を真っ直ぐ貫通している。すなわち、給水穴２１によって、底面ｊに開設した前記入口２０ａと、下ディスク１２に設けた水導入流路の入口（図示せず）とが最短距離で結ばれている。
【００１５】
同様に、前記給湯流路ｒを形成する給湯穴２２が給水穴２１に平行に胴部２０の上下方向を真っ直ぐ貫通している。すなわち、給湯穴２２によって、底面ｊに開設した前記入口２０ｂと、下ディスク１２に設けた湯導入流路の入口（図示せず）とが最短距離で結ばれている。給湯穴２２および給水穴２１は、横断面円形で、同径である。
【００１６】
前記下ディスク１２に設けた湯導入流路の入口（図示せず）は、前記上面ｑにおける前記給湯流路ｒの出口２０ｂ’に整合するよう〔図４（Ａ）参照〕、また、前記下ディスク１２に設けた水導入流路の入口（図示せず）は、前記上面ｑにおける前記給水流路ｉの出口２０ａ’に整合するよう〔図４（Ａ）参照〕、弁機構１０，１６が胴部２０の上面ｑに乗載される。なお、図４（Ａ）において、１２１は、弁機構１０，１６の乗載位置を位置決めするピン１２２が嵌入可能な嵌入穴で、ピン１２２は首部から嵌入され、ピン１２２の胴部の先端が下ディスク１２の下面に形成された位置決め穴に嵌入する。
【００１７】
更に、前記胴部２０は、周面ｈに前記湯水混合水排出流路ｎの二つの出口２３，２４を上下に有する。
【００１８】
そして、前記湯水混合水排出流路ｎは、縦断面Ｌ字型をなし、給湯穴２２および給水穴２１に平行な縦穴２５と、上出口２３に向かう上横穴２６および下出口２４に向かう下横穴２７とで形成されている。上横穴２６および下横穴２７は、縦断面円形で、同径である。そして、縦穴２５も横穴２６，２７と同様横断面円形であるが、横穴２６，２７より径が大きい。すなわち、縦穴２５は給湯穴２２および給水穴２１と同径であるが、これら穴２５，２２，２１より横穴２６，２７は径が小さく設定されている。これは、図４（Ａ）からも明らかなように、縦穴２５は、給湯穴２２および給水穴２１に邪魔されない位置に形成可能であるけれども、横穴２６，２７は給湯穴２２および給水穴２１間に挟まれる位置に形成する必要があり、そのため、スペース的に小さな領域Ｓにしか横穴２６，２７を形成できないという制約があるからである。そして、上横穴２６または下横穴２７のいずれか一つでは上出口２３または下出口２４から後述する吐水管内に排出される湯水混合水の量が少ないので、この実施形態では上下に二つの横穴２６，２７を設けることで湯水混合水の量を確保しているのである。なお、この二つの横穴２６，２７の代わりに湯水混合水の量を確保できる大きさの例えば縦断面楕円形の横穴を設けてもよいが、縦断面を横長の楕円形に形成するのは円穴を形成するより容易ではない。
【００１９】
３０は、弁機構１０，１６の下部、すなわち、弁本体１０を覆うほぼ円筒形状のカバー体で、胴部２０の外径とほぼ同一の外径を有する。このカバー体も、金属製（例えば合金製）で、表面がバフ処理されたのちメッキされてなる周面ｈ’を有する。
【００２０】
３１は、樹脂製のレバー体で、表面がメッキ処理されている。このレバー体３１は、雄ねじｋを有するピン３６により前記栓棒１８に係止される係止部３２を内部に有し、弁機構１０，１６の上部、すなわち、栓棒操作部１６を覆う有底円筒形状の被覆部分３３を備えている。この被覆部分３３は前記胴部２０の外径とほぼ同一の外径を有する。３５は、レバー体３１の操作杆である。３０ａは、ピン３６の挿入穴で、被覆部分３３の周壁ｆに形成されている。レバー体３１は、上下方向（Ｙ方向）（図３参照）・左右方向（Ｘ方向）（図７参照）の回動操作によって傾動操作される。
【００２１】
また、前記湯水混合水排出流路ｎの出口２３，２４のまわりには、前記胴部２０の周面ｈから突出した状態で吐水管９５が取り付けられている。この吐水管９５は、円筒形状をなし、周面ｈに銀ロー付けされている。吐水管９５は、金属製で、表面がバフ処理されたのちメッキされている。９６は、吐水管９５の先端に取り外し可能に装着された有底円筒形状の断熱キャップで、下方に向けて泡末器９７を有する。この断熱キャップ９６は、吐水管９５の外径とほぼ同一の外径を有し、表面がバフ処理されたのちメッキされている。
【００２２】
以下、ポップアップ機構について説明する。
前記水栓取付板部３には、ポップアップ棒４０が挿通可能な大きさの縦穴４１が形成されている。この縦穴４１は、二つの貫通孔４および５の間に位置している。
【００２３】
また、ポップアップ棒４０は、金属製で、表面がバフ処理されたのちメッキされている。このポップアップ棒４０は、細長い直線状の金属棒を所定角度θだけ折り曲げて形成された、長尺部４０ａと短尺部４０ｂよりなる。短尺部４０ｂの先端には球状のレバー８１が螺合している。このレバー８１も、金属製で、表面がバフ処理されたのちメッキされている。
【００２４】
そして、長尺部４０ａの下端部は、クリップ２０３を介して引上げ棒２０４に連動連結されている。この引上げ棒２０４は、洗面ボール８の底面中央に位置する排出口２０５を閉塞可能に上下移動する閉塞部材２０６を操作するためのものである。２０７は、排水トラップを構成するＵ字管である。
【００２５】
一方、胴部２０には、周面ｈおよび底面ｊ間を貫通するポップアップ棒貫通穴８０が垂直方向（上下方向）から所定角度θだけ傾斜した状態で形成されている。この貫通穴８０には、ポップアップ棒４０の短尺部４０ｂが挿入される。貫通穴８０は、短尺部４０ｂの外径とほぼ同一の小径部８０ａと、これより大きな径を持つ大径部８０ｂよりなる。この大径部８０ｂには、オーリング８３が嵌込まれ、更に、このオーリング８３を保持するオーリング受け８４がネジ止めされている。このオーリング受け８４およびオーリング８３でシール手段が構成される。このシール手段は、短尺部４０ｂに付着した水滴が胴部２０の底面ｊに位置する貫通穴８０の出口８０ｃから後述する連通機構４２の長穴５５、５５’、５５’’を通って水栓取付板部３の縦穴４１から洗面ボール８下方に侵入するのを防止するよう機能する。
【００２６】
４２は、台座４３、底板４４および座パッキン４５で構成される連通機構で、前記胴部２０および水栓取付板部３間に介装されている。
【００２７】
前記台座４３は、例えば青銅鋳物からなる偏平な棒状体に形成されている。この台座４３は、下部両端にそれぞれ、前記取付足４ａに接続される給湯接続部５０および前記取付足５ａに接続される給湯接続部５１を有するとともに、上部中央に、胴部底面ｊに開設した前記入口２０ｂに整合する円形状の出口５２と、胴部底面ｊに開設した前記入口２０ａに整合する円形状の出口５３とが形成された鍔部５４を有する。給湯接続部５０は、上側大径部分５０ａと下側小径部分５０ｂとよりなる。給水接続部５１は、上側大径部分５１ａと下側小径部分５１ｂとよりなる。
【００２８】
更に、鍔部５４の出口５２，５３間には、ポップアップ棒挿通用の平面視楕円形の長穴５５が上下方向に貫通している。また、鍔部５４には、出口５２，５３および長穴５５の前後にそれぞれ一対のビス挿通用の穴５６，５６、５７，５７が上下に貫通している。
【００２９】
一方、前記胴部２０の底面ｊには、図４（Ｂ）に示すように、前記ビス挿通用の穴５６，５６、５７，５７に対応する位置にネジ穴５６’，５６’、５７’，５７’が形成されている。
【００３０】
そして、出口５２が前記入口２０ｂに整合するよう、かつ出口５３が前記入口２０ａに整合するようパッキン６０を外周に設けてあるアダプタ６１を介して鍔部５４に前記胴部２０が乗載され、前記底板４４に形成されたビス挿通用の穴５６’’，５６’’、５７’’，５７’’から穴５６，５６、５７，５７を経てネジ穴５６’，５６’、５７’，５７’までビス６２を通し、これを締付けることによって台座４３上に胴部２０を固定できる。しかも、前記底板４４の前記ネジ穴５６’，５６’、５７’，５７’は、ビス６２を締付けた後には、ビス６２の頭６２ａの表面ｖが底板４４の裏面４４ａと面一になるようテーパ形状の入口部をそれぞれ有する。
【００３１】
前記底板４４は、ステンレスよりなる薄板状で、平面視長方形に形成されている。この底板４４の長辺は、台座４３の長手方向における長さよりも長く設定されている。底板４４は、前記給湯接続部５０の下側小径部分５０ｂの外径にほぼ等しい径を持った嵌合穴６６を有するとともに、前記給水接続部５１の下側小径部分５１ｂの外径にほぼ等しい径を持った嵌合穴６７を有する。
【００３２】
更に、底板４４は、台座４３の下側から密着させたときに前記長穴５５に整合するポップアップ棒挿通用の長穴５５’を有する。
【００３３】
また、前記座パッキン４５は、樹脂製で、外形が底板４４と同じ形状をなしており、嵌合穴６６と同径の穴６６’および嵌合穴６７と同径の穴６７’を有する。また、座パッキン４５は、底板４４の下側から密着させたときに前記長穴５５’に整合するポップアップ棒挿通用の長穴５５’’を有する。
【００３４】
９０は、前記連通機構４２を覆う半円筒形状の天板で、金属製である。この天板９０は、表面がバフ処理されたのちメッキされてなり、胴部２０直下に位置する。天板９０は、中央開口部９１を有する。そして、台座４３の鍔部５４を中央開口部９１に組付けるときに、前記中央開口部９１の端面ｔと台座４３の鍔部５４の上端面ｐとが面一になるよう構成されていてる。
【００３５】
而して、胴部２０を円柱形状とし、この胴部２０の外径とほぼ同一の外径を有する円筒形状のカバー体３０で弁機構の下部１０を覆い、胴部２０の外径とほぼ同一の外径を有する有底円筒形状の被覆部分３３で弁機構の上部１６を覆うとともに、胴部２０および水栓取付板部３間に介装される、給水管および給湯管連通用の連通機構４３，４４，４５を覆う半円筒形状の天板９０を胴部２０直下に設け、更に、胴部２０の周面ｈから突出した状態で円筒形状をなす吐水管９５を設け、吐水管９５の先端に取り外し可能で吐水管９５の外径とほぼ同一の外径を有する有底円筒形状の断熱キャップ９６を設け、しかも、ポップアップ棒４０の先端に設けたレバー８１を球状に形成し、これら構成部材２０，３０，３３，９０，９５，９６，８１を全て表面がバフ処理されたのちメッキしているので、シャープな折れ曲がり形状を有するとともに、円柱をモチーフにしたシャープな外観形状を持つポップアップ機構を備えたシングルレバー式の混合栓１を提供できる。
【００３６】
なお、この実施形態では、水栓取付板部３に二つの貫通孔４および５を設けた場合を示したが、一つの貫通孔を設けた、いわゆる、ワンホールタイプのポップアップ機構を備えたシングルレバー式の混合栓にもこの発明は適用できる。
【００３７】
【発明の効果】
この発明では、胴部を円柱形状とし、この胴部の外径とほぼ同一の外径を有する円筒形状のカバー体で弁機構の下部を覆うとともに、胴部および水栓取付板部間に介装される、給水管および給湯管連通用の連通機構を覆う半円筒形状の天板を胴部直下に設けたので、シャープな折れ曲がり形状を有するとともに、円柱をモチーフにしたシャープな外観形状を持つポップアップ機構を備えたシングルレバー式の混合栓を提供できる。
【図面の簡単な説明】
【図１】  この発明の一実施形態を示す全体構成説明図である。
【図２】  上記実施形態を示す要部分解斜視図である。
【図３】  上記実施形態を示す要部構成説明図である。
【図４】  （Ａ）は、上記実施形態で用いた胴部の上面を示す図である。
（Ｂ）は、上記実施形態で用いた胴部の下面を示す図である。
【図５】  上記実施形態を示す要部構成説明図である。
【図６】  （Ａ）は、上記実施形態で用いた連通機構の一部を示す上面図である。
（Ｂ）は、上記実施形態で用いた連通機構の一部を示す縦断面図である。
【図７】  上記実施形態で用いたレバー体の動作説明図である。
【図８】  （Ａ）は、従来例を示す概略正面図である。
（Ｂ）は、従来例を示す概略側面図である。
【符号の説明】
１…シングルレバー式の混合栓、３…水栓取付板部、１０…弁機構の下部、１６…弁機構の上部、２０…胴部、３０…カバー体、３１…レバー体、４０…ポップアップ棒、４３，４４，４５…連通機構、５５，５５’，５５’’…長穴、９０…天板、ｉ…給水流路、ｒ…給湯流路、ｎ…湯水混合水排出流路。
【図１】
0004527892.tif 000002
【図２】
0004527892.tif 000003
【図３】
0004527892.tif 000004
【図４】
0004527892.tif 000005
【図５】
0004527892.tif 000006
【図６】
0004527892.tif 000007
【図７】
0004527892.tif 000008
【図８】
0004527892.tif 000009